(57)【特許請求の範囲】
【請求項１】
進化型パケットシステム（ＥＰＳ）ベアラに従ってネットワークにおけるパケット交換（ＰＳ）サービスをサポートする進化型ノードＢ（ｅＮＢ）であって、当該ｅＮＢは、
モビリティマネジメントエンティティ（ＭＭＥ）から、ユーザ機器（ＵＥ）とパケットデータネットワークゲートウェイ（ＰＧＷ）との間における第１のＰＳサービスのための第１のＥＰＳベアラの確立のための第１のＥＰＳベアラセットアップメッセージを受信し、
前記第１のＥＰＳベアラに従って、前記第１のＰＳサービスの一部としてトラフィックパケットをユーザ機器（ＵＥ）に送信し、
前記ＭＭＥから、前記ＵＥと前記ＰＧＷとの間における第２のＰＳサービスのための第２のＥＰＳベアラの確立のための第２のＥＰＳベアラセットアップメッセージを受信する  ように構成されたハードウェア処理回路を含み、
前記第１のＥＰＳベアラセットアップメッセージは、前記第１のＰＳサービスのためのトラフィックが前記ＵＥにおいて留意されているか又は留意されていないかを示す、前記第１のＰＳサービスのための第１の留意インジケータを含み、
前記第２のＥＰＳベアラセットアップメッセージは、前記第２のＰＳサービスのためのトラフィックが前記ＵＥにおいて留意されているか又は留意されていないかを示す、前記第２のＰＳサービスのための第２の留意インジケータを含み、
前記第１の留意インジケータと前記第２の留意インジケータとは異なり、
前記ハードウェア処理回路は、前記ＵＥからのアップリンクパケットに含まれる留意インジケータ、前記第１の留意インジケータ、及び前記第２の留意インジケータに基づき、前記ＵＥへ前記トラフィックパケットを送信するために使用すべきＥＰＳベアラを決定する、
ｅＮＢ。
【請求項２】
前記第１及び／又は第２のＰＳサービスは前記ＵＥにおいて動作するアプリケーションに関連付けられ、前記第１及び／又は第２のＰＳサービスのためのトラフィックが留意されているとき、前記トラフィックは、前記ＵＥにおける前記アプリケーションとのユーザインタラクションの時間の間、前記アプリケーションによって生成され、あるいは使用される、請求項１に記載のｅＮＢ。
【請求項３】
前記第１及び／又は第２のＥＰＳベアラセットアップメッセージは、前記第１及び／又は第２のＰＳサービスのためのサービス品質クラスインジケータ（ＱＣＩ）を含み、
前記第１及び／又は第２のＰＳサービスのためのＱＣＩは、所定の候補ＱＣＩグループに含まれ、
前記候補ＱＣＩグループの中の各候補ＱＣＩは、ＱＣＩ優先順位、ＱＣＩ性能閾値、及び留意インジケータに関連付けられる、
請求項１に記載のｅＮＢ。
【請求項４】
前記候補ＱＣＩグループは、第１の候補ＱＣＩ及び第２の候補ＱＣＩを含み、
前記第１の候補ＱＣＩのための第１のＱＣＩ優先順位は、前記第２の候補ＱＣＩのための第２のＱＣＩ優先順位と同じであり、
前記第１の候補ＱＣＩのための第１のＱＣＩ性能閾値は、前記第２の候補ＱＣＩのための第２のＱＣＩ性能閾値と同じであり、
前記第１の候補ＱＣＩのための留意インジケータと前記第２の候補ＱＣＩのための留意インジケータとは、異なる、
請求項３に記載のｅＮＢ。
【請求項５】
前記候補ＱＣＩグループは、第３のＱＣＩ優先順位と第３のＱＣＩ性能閾値と第３の留意インジケータとに関連付けられた第３の候補ＱＣＩを含み、
前記第３の候補ＱＣＩ以外の各候補ＱＣＩは、前記第３のＱＣＩ優先順位とは異なるＱＣＩ優先順位に関連付けられ、あるいは、前記第３のＱＣＩ性能閾値とは異なるＱＣＩ性能閾値に関連付けられる、
請求項４に記載のｅＮＢ。
【請求項６】
前記ハードウェア処理回路は、前記第１及び／又は第２のＰＳサービスのためのトラフィックが留意されていないとき、前記ネットワークの輻輳レベルが輻輳閾値を上回るとの決定に応答して、前記第１及び／又は第２のＰＳサービスのためのトラフィックパケットの送信を遅延させるようにさらに構成される、請求項１に記載のｅＮＢ。
【請求項７】
前記トラフィックパケットの送信は、前記ＵＥに対する前記トラフィックパケットの送信を含み、
前記第１及び／又は第２のＥＰＳベアラは、当該ｅＮＢと前記ＵＥとの間におけるトラフィックパケットのやりとりのための無線ベアラを含み、
前記輻輳レベルは、前記無線ベアラに関連付けられる、
請求項６に記載のｅＮＢ。
【請求項８】
前記トラフィックパケットの送信は、前記ＰＧＷに対する前記トラフィックパケットの送信を含み、
前記第１及び／又は第２のＥＰＳベアラは、当該ｅＮＢと前記ＰＧＷとの間におけるトラフィックパケットのやりとりのための１つ以上のネットワークベアラを含み、
前記輻輳レベルは、前記ネットワークベアラのうち少なくとも１つに関連付けられる、
請求項６に記載のｅＮＢ。
【請求項９】
前記ハードウェア処理回路は、前記輻輳レベルが前記輻輳閾値を上回り、前記第２のＰＳサービスのためのトラフィックが留意されているとき、前記第２のＰＳサービスのための第２のトラフィックパケットを送信するようにさらに構成される、請求項６に記載のｅＮＢ。
【請求項１０】
前記第１のＰＳサービスのためのＱＣＩ優先順位は、前記第２のＰＳサービスのためのＱＣＩ優先順位以上である、請求項９に記載のｅＮＢ。
【請求項１１】
前記第１及び第２のＥＰＳベアラは、前記ＵＥとパケットをやりとりする第１の無線ベアラ及び第２の無線ベアラを含み、
前記ハードウェア処理回路は、
前記第１の無線ベアラ上でアップリンクパケットを受信し、
前記アップリンクパケットに含まれる、前記第１及び／又は第２のＰＳサービスのためのＩＰアドレス及びポート番号を決定し、
ダウンリンクパケットについて、前記ダウンリンクパケットに含まれるＩＰアドレス及びポート番号を決定し、
前記アップリンクパケットに含まれるＩＰアドレス及びポート番号が、前記ダウンリンクパケットに含まれるＩＰアドレス及びポート番号にマッチするとき、前記第１の留意インジケータに基づいて輻輳優先順位に従って前記ダウンリンクパケットを送信する
ようにさらに構成される、
請求項２に記載のｅＮＢ。
【請求項１２】
前記第１のＰＳサービスのための第１のＱＣＩ優先順位は、前記第２のＰＳサービスのための第２のＱＣＩ優先順位と同じであり、
前記第１のＰＳサービスのための第１のＱＣＩ性能閾値は、前記第２のＰＳサービスのための第２のＱＣＩ性能閾値と同じである、
請求項２に記載のｅＮＢ。
【請求項１３】
前記ハードウェア処理回路は、前記ネットワークの輻輳状態の決定に応答して、前記ネットワークの輻輳レベル、前記第１及び／又は第２のＰＳサービスのための前記ＵＥの利用可能スループット、又はある時間の間の前記ＵＥの利用可能リソースのインジケータ、を含む前記ＵＥのためのリソースインジケータを送信するようにさらに構成される、請求項２に記載のｅＮＢ。
【請求項１４】
前記第１及び第２のＰＳサービスのための前記第１及び第２のＥＰＳベアラは、それぞれ第１及び第２の無線ベアラを含み、
前記ハードウェア処理回路は、
前記ネットワークの輻輳状態が決定されるとき、前記第１の無線ベアラ及び前記第２の無線ベアラについて、異なる利用可能スループットを前記ＵＥに割り当てることであって、前記割り当ては、前記第１の留意インジケータ及び前記第２の留意インジケータに基づく
ようにさらに構成される、
請求項２に記載のｅＮＢ。
【請求項１５】
１つ以上のプロセッサに、進化型パケットシステム（ＥＰＳ）ベアラに従ってネットワークにおけるパケット交換（ＰＳ）サービスのサポートのための動作を実行させるコンピュータプログラムであって、前記動作は、
モビリティマネジメントエンティティ（ＭＭＥ）から、ユーザ機器（ＵＥ）とパケットデータネットワークゲートウェイ（ＰＧＷ）との間における第１のＰＳサービスのための第１のＥＰＳベアラの確立のための第１のＥＰＳベアラセットアップメッセージを受信するステップと、
前記第１のＥＰＳベアラに従って、前記第１のＰＳサービスの一部としてトラフィックパケットをユーザ機器（ＵＥ）に送信するステップと、
前記ＭＭＥから、前記ＵＥと前記ＰＧＷとの間における第２のＰＳサービスのための第２のＥＰＳベアラの確立のための第２のＥＰＳベアラセットアップメッセージを受信するステップと、
を含み、
前記第１のＥＰＳベアラセットアップメッセージは、前記第１のＰＳサービスのためのトラフィックが前記ＵＥにおいて留意されているか又は留意されていないかを示す、前記第１のＰＳサービスのための第１の留意インジケータを含み、
前記第２のＥＰＳベアラセットアップメッセージは、前記第２のＰＳサービスのためのトラフィックが前記ＵＥにおいて留意されているか又は留意されていないかを示す、前記第２のＰＳサービスのための第２の留意インジケータを含み、
前記第１の留意インジケータと前記第２の留意インジケータとは異なり、
前記動作は、前記ＵＥからのアップリンクパケットに含まれる留意インジケータ、前記第１の留意インジケータ、及び前記第２の留意インジケータに基づき、前記ＵＥへ前記トラフィックパケットを送信するために使用すべきＥＰＳベアラを決定するステップ、を更に含む、
コンピュータプログラム。
【請求項１６】
前記第１及び／又は第２のＰＳサービスは前記ＵＥにおいて動作するアプリケーションに関連付けられ、前記第１及び／又は第２のＰＳサービスのためのトラフィックが留意されているとき、前記トラフィックは、前記ＵＥにおける前記アプリケーションとのユーザインタラクションの時間の間、前記アプリケーションによって生成され、あるいは使用される、請求項１５に記載のコンピュータプログラム。
【請求項１７】
前記第１及び／又は第２のＥＰＳベアラセットアップメッセージは、ＱＣＩ優先順位、ＱＣＩ性能閾値、及び前記第１及び／又は第２のＰＳサービスのための留意インジケータに関連付けられた、前記第１及び／又は第２のＰＳサービスのためのサービス品質クラスインジケータ（ＱＣＩ）を含む、請求項１５に記載のコンピュータプログラム。
【請求項１８】
進化型パケットシステム（ＥＰＳ）ベアラに従ってネットワークにおけるパケット交換（ＰＳ）サービスをサポートする方法であって、
モビリティマネジメントエンティティ（ＭＭＥ）から、ユーザ機器（ＵＥ）とパケットデータネットワークゲートウェイ（ＰＧＷ）との間における第１のＰＳサービスのための第１のＥＰＳベアラの確立のための第１のＥＰＳベアラセットアップメッセージを受信するステップと、
前記第１のＥＰＳベアラに従って、前記第１のＰＳサービスの一部としてトラフィックパケットをユーザ機器（ＵＥ）に送信するステップと、
前記ＭＭＥから、前記ＵＥと前記ＰＧＷとの間における第２のＰＳサービスのための第２のＥＰＳベアラの確立のための第２のＥＰＳベアラセットアップメッセージを受信するステップと、
を含み、
前記第１のＥＰＳベアラセットアップメッセージは、前記第１のＰＳサービスのためのトラフィックが前記ＵＥにおいて留意されているか又は留意されていないかを示す、前記第１のＰＳサービスのための第１の留意インジケータを含み、
前記第２のＥＰＳベアラセットアップメッセージは、前記第２のＰＳサービスのためのトラフィックが前記ＵＥにおいて留意されているか又は留意されていないかを示す、前記第２のＰＳサービスのための第２の留意インジケータを含み、
前記第１の留意インジケータと前記第２の留意インジケータとは異なり、
前記方法は、前記ＵＥからのアップリンクパケットに含まれる留意インジケータ、前記第１の留意インジケータ、及び前記第２の留意インジケータに基づき、前記ＵＥへ前記トラフィックパケットを送信するために使用すべきＥＰＳベアラを決定するステップ、を更に含む、
方法。
【請求項１９】
前記第１及び／又は第２のＰＳサービスは前記ＵＥにおいて動作するアプリケーションに関連付けられ、前記第１及び／又は第２のＰＳサービスのためのトラフィックが留意されているとき、前記トラフィックは、前記ＵＥにおける前記アプリケーションとのユーザインタラクションの時間の間、前記アプリケーションによって生成され、あるいは使用される、請求項１８に記載の方法。
【請求項２０】
進化型パケットシステム（ＥＰＳ）ベアラに従ってネットワークにおけるパケット交換（ＰＳ）サービスにおいて通信するユーザ機器（ＵＥ）であって、当該ＵＥは、
当該ＵＥとパケットデータネットワークゲートウェイ（ＰＧＷ）との間における第１のＰＳサービスのための第１のＥＰＳベアラの確立のための第１のＥＰＳベアラセットアップメッセージを受信する
ように構成されたハードウェア処理回路を含み、
前記第１のＥＰＳベアラセットアップメッセージは、前記第１のＰＳサービスとして当該ＵＥにおいて動作するアプリケーションのための第１の留意インジケータを含み、前記第１の留意インジケータは、前記第１のＰＳサービスのためのトラフィックが当該ＵＥにおいて留意されているか又は留意されていないかの指標を提供し、
前記ハードウェア処理回路は、前記第１のＰＳサービスとして送信されるトラフィックパケットに、前記アプリケーションの留意ステートを含めるようにさらに構成される、
ＵＥ。
【請求項２１】
前記ハードウェア処理回路は、当該ＵＥにおける前記アプリケーションに関連付けられた第２のＰＳサービスのための第２のＥＰＳベアラの確立のための第２のＥＰＳベアラセットアップメッセージを受信するようにさらに構成され、
前記第２のＥＰＳベアラセットアップメッセージは、前記第２のＰＳサービスのための第２の留意インジケータを含み、
前記第１のＰＳサービスのための第１のＱＣＩ優先順位は、前記第２のＰＳサービスのための第２のＱＣＩ優先順位と同じであり、
前記第１のＰＳサービスのための第１のＱＣＩ性能閾値は、前記第２のＰＳサービスのための第２のＱＣＩ性能閾値と同じであり、
前記第１の留意インジケータと前記第２の留意インジケータとは、異なる、
請求項２０に記載のＵＥ。
【請求項２２】
前記第１のＰＳサービス及び前記第２のＰＳサービスは、当該ＵＥにおいて動作するアプリケーションに関連付けられ、
前記ハードウェア処理回路は、
前記アプリケーションの留意ステートが前記第１の留意インジケータにマッチするとき、前記第１のＰＳサービスの一部としてトラフィックパケットを進化型ノードＢ（ｅＮＢ）に送信し、
前記アプリケーションの留意ステートが前記第２の留意インジケータにマッチするとき、前記第２のＰＳサービスの一部としてトラフィックパケットを前記ｅＮＢに送信する
ようにさらに構成される、
請求項２１に記載のＵＥ。
【請求項２３】
請求項１５乃至１７のうちいずれか１項に記載のコンピュータプログラムを記憶したコンピュータ可読記憶媒体。
【発明の詳細な説明】
【技術分野】
【０００１】
優先権主張
本出願は、２０１４年３月２４日に申請された米国仮特許出願第61/969,782号に対して優先の利益を主張する、２０１４年１１月４日に申請された米国特許出願第14/532,751号に対して優先の利益を主張し、上記出願の各々はその全体を本明細書において参照により援用される。
【０００２】
実施形態はワイヤレス通信に関連する。いくつかの実施形態が、ＬＴＥネットワークを含むセルラー通信ネットワークに関する。いくつかの実施形態が、サービス品質アーキテクチャに関する。いくつかの実施形態が、輻輳制御に関する。いくつかの実施形態が、留意されているサービス及び留意されていないサービスに関する。
【背景技術】
【０００３】
ワイヤレスネットワークと、ネットワークにおいて動作するモバイルデバイスとは、様々な音声及びデータサービスを利用し、あるいはサポートすることがあり、上記サービスは、本質においてかなり異なる場合がある。例えば、音声アプリケーションが、比較的少量のシステムスループットを使用することがあり、しかし、比較的低いレイテンシをさらに必要とすることがあり、装置のユーザにとって高い優先順位のサービスと考えられることがある。対照的に、リアルタイムで実行される必要のないデータアプリケーションは、低い優先順位のサービスと考えられることがあり、音声よりもより高いレイテンシを許容することがある。サービスのいくつかの異なる性質に起因して、トラフィックに優先順位をつけること及びリソースを割り当てることにおいてこうした要因を考慮に入れるサービス品質（ＱｏＳ）アーキテクチャが、全体的なネットワーク性能のためになる可能性がある。
【０００４】
いくつかの場合に、ネットワークは、適所にＱｏＳアーキテクチャを有する場合でさえ、輻輳になる可能性がある。一例として、基地局とモバイル装置との間におけるワイヤレスリンクによりサポートされるスループットが、特定の時間期間の間、不十分である場合がある。別の例として、ネットワークコンポーネントが、ピーク需要期間の間、特にいくつかのコンポーネントをサポートするとき、トラフィックをルーティングし及びフォワードするためのレイテンシ需要を満たすことができない場合がある。こうした輻輳は、ネットワーク及びユーザ体験に対して悪影響を与えるおそれがあり、ゆえに、ネットワーク輻輳の低減のための方法及び手法の一般的必要がある。
【図面の簡単な説明】
【０００５】
【図１】いくつかの実施形態に従う３ＧＰＰネットワークの機能図である。
【図２】いくつかの実施形態に従うユーザ機器（ＵＥ）の機能図である。
【図３】いくつかの実施形態に従う進化型ノードＢ（ｅＮＢ）の機能図である。
【図４】いくつかの実施形態に従うモビリティマネジメントエンティティ（ＭＭＥ）の機能図である。
【図５】いくつかの実施形態に従うパケット交換（ＰＳ）サービスをサポートする方法の動作を例示する。
【図６】いくつかの実施形態に従う様々な音声及びデータサービスのためのサービス品質クラスインジケータ（ＱＣＩ）の例を示す。
【図７】いくつかの実施形態に従う様々な音声及びデータサービスのためのサービス品質クラスインジケータ（ＱＣＩ）のさらなる例を示す。
【図８】いくつかの実施形態に従う様々な音声及びデータサービスのためのサービス品質クラスインジケータ（ＱＣＩ）のさらなる例を示す。
【図９】いくつかの実施形態に従うパケット交換（ＰＳ）サービスをサポートする別の方法の動作を例示する。
【発明を実施するための形態】
【０００６】
下記の説明及び図面は、具体的な実施形態を、当業者がこれらを実施することを可能にするよう十分に例説する。他の実施形態が、構造的、論理的、電気的、処理的、及び他の変更を組み入れ得る。いくつかの実施形態の部分及び特徴が、他の実施形態の部分及び特徴に含まれてもよく、あるいは他の実施形態の部分及び特徴の代わりにされてもよい。請求項に明記される実施形態は、請求項についてのすべての利用可能な均等物を包含する。
【０００７】
図１は、いくつかの実施形態に従うネットワークの様々なコンポーネントを有するＬＴＥネットワークのエンドツーエンドネットワークアーキテクチャの部分を示している。ネットワーク１００は、１つ以上の進化型ノードＢ（Evolved  Node-Bs）（ｅＮＢ）１０４を含むことができ、ｅＮＢ１０４は、基地局として動作することができ、１つ以上のユーザ機器（User  Equipments）（ＵＥ）１０２又はモバイル装置をサポートすることができる。ネットワーク１００は、モビリティマネジメントエンティティ（Mobility  Management  Entity）（ＭＭＥ）１０６をさらに含むことができ、ＭＭＥ１０６は、ゲートウェイ選択及びトラッキングエリアリスト管理などのアクセスにおけるモビリティ態様を管理することができる。ネットワーク１００は、サービングゲートウェイ（ＳＧＷ）１０８をさらに含むことができ、ＳＧＷ１０８は、ｅＮＢ間（inter-eNB）ハンドオーバのためのローカルモビリティアンカーポイントであることが可能であり、さらに、３ＧＰＰ間（inter-3GPP）モビリティのためのアンカーを提供することができる。ＳＧＷ１０８の他の責務には、合法の傍受、課金、及び何らかのポリシー強制が含まれ得る。ネットワーク１００は、パケットデータネットワークゲートウェイ（Packet  Data  Network  Gateway）（ＰＧＷ）１１０をさらに含むことができ、ＰＧＷ１１０は、ネットワーク１００と外部ネットワークとの間のデータパケットをルーティングすることができ、ポリシー強制及び課金データ収集のためのキーノードであり得る。ＰＧＷ１１０は、非ＬＴＥアクセスでのモビリティのためのアンカーポイントをさらに提供することができる。いくつかの実施形態において、ＳＧＷ１０８及びＭＭＥ１０６は、１つの物理ノード又は別個の物理ノードにおいて実装されることができる。いくつかの実施形態において、ＰＧＷ１１０及びＳＧＷ１０８は、１つの物理ノード又は別個の物理ノードにおいて実装されることができる。
【０００８】
パケット交換（ＰＳ）サービスについて、進化型パケットシステム（Evolved  Packet  System）（ＥＰＳ）ベアラ１３０が、ＰＧＷ１１０とＵＥ１０２との間の通信のために確立されることができる。ＥＰＳベアラ１３０は、ＰＳサービスのためのサービス品質（Quality  of  Service）（ＱｏＳ）に関連付けられることができ、上記ＱｏＳは、ＰＳサービスのためのリソース（例えば、スループットなど）の優先順位付け又は優先順位付け解除（de-prioritization）を可能にすることができる。ＥＰＳベアラ１３０は、ｅＮＢ１０４とＵＥ１０２との間におけるパケットのやりとりのための無線ベアラ１１５と、ｅＮＢ１０４とＳＧＷ１０８との間におけるパケットのやりとりのためのＳ１ベアラ１２０と、ＳＧＷ１０８とＰＧＷ１１０との間におけるパケットのやりとりのためのＳ５／Ｓ８ベアラ１２５とを含むことができる。
【０００９】
いくつかの実施形態において、ｅＮＢ１０４は、ネットワーク１００のための様々な論理的機能を果たすことができ、これらに限られないが、ＲＮＣ（無線ネットワークコントローラ機能）、例えば、無線ベアラ管理、アップリンク及びダウンリンクダイナミック無線リソース管理及びデータパケットスケジューリング、並びにモビリティ管理などが含まれる。実施形態に従い、ＵＥ１０２は、ＯＦＤＭＡ通信手法に従って、マルチキャリア通信チャネルを通じてｅＮＢ１０４とＯＦＤＭ信号を通信するように構成されることができる。ＯＦＤＭ信号は、複数の直交する副搬送波を含むことができる。
【００１０】
いくつかの実施形態に従い、ｅＮＢ１０４は、ＵＥ１０２とＰＧＷ１１０との間のＰＳサービスのためのＥＰＳベアラ１３０の確立のために、ＭＭＥ１０６からＥＰＳベアラセットアップメッセージを受信することができる。ＥＰＳベアラセットアップメッセージは、ＰＳサービスのためのトラフィックがＵＥ１０２において留意されている（attended）か又は留意されていない（unattended）かどうかを示す、ＰＳサービスのための留意インジケータ（attention  indicator）を含むことができる。さらに、ｅＮＢ１０４は、ＰＳサービスの一部として、ＵＥ１０２にトラフィックパケットを送信し、ＵＥ１０２からトラフィックパケットを受信することができる。さらに、ｅＮＢ１０４は、ＰＳサービスの一部として、ＰＧＷ１１０にトラフィックパケットを送信し、ＰＧＷ１１０からトラフィックパケットを受信することができる。上記の実施形態は、以下により詳細に説明される。
【００１１】
いくつかの実施形態において、ダウンリンクリソースグリッドが、ｅＮＢ１０４からＵＥ１０２へのダウンリンク送信に使用されることができ、ＵＥ１０２からｅＮＢ１０４へのアップリンク送信が、同様の手法を利用することができる。グリッドは、リソースグリッド又は時間周波数リソースグリッドと呼ばれる時間周波数グリッドであることが可能であり、これは、各スロットにおけるダウンリンクにおける物理リソースである。こうした時間周波数平面表現は、ＯＦＤＭシステムのための一般的慣行であり、これは、無線リソース割り当てについて、上記平面表現を直感的にする。リソースグリッドの各列と各行とが、それぞれ、１つのＯＦＤＭシンボルと１つのＯＦＤＭ副搬送波とに対応する。時間ドメインにおけるリソースグリッドの継続時間は、無線フレームにおける１スロットに対応する。リソースグリッドにおける最小の時間周波数単位は、リソース要素として表される。各リソースグリッドは複数のリソースブロックを含み、該リソースブロックは、リソース要素に対する特定の物理チャネルのマッピングを説明する。各リソースブロックはリソース要素の集合を含み、周波数ドメインにおいて、これは、現在割り当てられることが可能な最小分量のリソースを表す。こうしたリソースブロックを用いて伝達される、いくつかの異なる物理ダウンリンクチャネルが存在する。本開示に特に関連して、上記物理ダウンリンクチャネルのうち２つが、物理ダウンリンク共有チャネル及び物理ダウンリンク制御チャネルである。
【００１２】
物理ダウンリンク共有チャネル（ＰＤＳＣＨ）は、ユーザデータ及びより高いレイヤのシグナリングをＵＥ１０２（図１）に運ぶ。物理ダウンリンク制御チャネル（ＰＤＣＣＨ）は、とりわけ、ＰＤＳＣＨチャネルに関連するトランスポートフォーマット及びリソース割り当てに関する情報を運ぶ。ＰＤＣＣＨは、さらに、アップリンク共有チャネルに関連するトランスポートフォーマット、リソース割り当て、及びＨ−ＡＲＱ情報に関してＵＥ１０２に知らせる。典型的に、ダウンリンクスケジューリング（セル内のＵＥ１０２に対して制御及び共有チャネルリソースブロックを割り振ること）は、ＵＥ１０２からｅＮＢ１０４にフィードバックされるチャネル品質情報に基づいてｅＮＢ１０４において実行され、それから、ダウンリンクリソース割り振り情報が、ＵＥ１０２に使用される（に割り振られた）制御チャネル（ＰＤＣＣＨ）上でＵＥ１０２に対して送られる。
【００１３】
ＰＤＣＣＨは、ＣＣＥ（制御チャネル要素）を使用して制御情報を伝達する。リソース要素にマッピングされる前、ＰＤＣＣＨ複素数値（complex-valued）シンボルが、最初、四つ組（quadruplets）に編成され、それからこれらが、レートマッチングのためにサブブロックインターリーバ（inter-leaver）を用いて並べ替えられる。各ＰＤＣＣＨは、上記制御チャネル要素（ＣＣＥ）のうち１つ以上を用いて送信され、これにおいて、各ＣＣＥは、リソース要素グループ（ＲＥＧ）として知られる４つの物理リソース要素の、９セットに対応する。４つのＱＰＳＫシンボルが、各ＲＥＧにマッピングされる。ＰＤＣＣＨは、ＤＣＩのサイズ及びチャネル状態に依存して、１つ以上のＣＣＥを用いて送信されることができる。ＬＴＥにおいて、異なる数のＣＣＥ（例えば、集約レベルＬ＝１、２、４、又は８）を用いて定義される、４つ又はそれ以上の異なるＰＤＣＣＨフォーマットが存在し得る。
【００１４】
図２は、いくつかの実施形態に従うＵＥ２００のブロック図を示している。図３は、いくつかの実施形態に従うｅＮＢ３００のブロック図を示している。図４は、いくつかの実施形態に従うモビリティマネジメントエンティティ（ＭＭＥ）４００のブロック図を示している。いくつかの実施形態において、ｅＮＢ３００は、固定的な非モバイルデバイスであり得ることが注意されるべきである。ＵＥ２００は、図１に表されるとおりのＵＥ１０２であってもよく、ｅＮＢ３００は、図１に表されるとおりのｅＮＢ１０４であってもよく、ＭＭＥ４００は、図１に表されるとおりのＭＭＥ１０６であってもよい。ＵＥ２００は、１つ以上のアンテナ２０１を用いて信号をｅＮＢ３００、他のｅＮＢ、他のＵＥ、又は他の装置に送信し及びこれらから受信する物理レイヤ回路２０２を含むことができ、ｅＮＢ３００は、１つ以上のアンテナ３０１を用いて信号をＵＥ２００、他のｅＮＢ、他のＵＥ、又は他の装置に送信し及びこれらから受信する物理レイヤ回路３０２を含むことができる。ＵＥ２００は、ワイヤレス媒体に対するアクセスを制御する媒体アクセス制御レイヤ（ＭＡＣ）回路２０４をさらに含むことができ、ｅＮＢ３００は、ワイヤレス媒体に対するアクセスを制御する媒体アクセス制御レイヤ（ＭＡＣ）回路３０４をさらに含むことができる。ＵＥ２００は、本明細書に説明される動作を実行するように配置された処理回路２０６及びメモリ２０８をさらに含むことができる。ｅＮＢ３００は、本明細書に説明される動作を実行するように配置された処理回路３０６及びメモリ３０８をさらに含むことができる。ＭＭＥ４００は、本明細書に説明される動作を実行するように配置された処理回路４０６及びメモリ４０８をさらに含むことができる。さらに、ＭＭＥ４００は、ｅＮＢ３００又は他などの他のコンポーネントとのワイヤレスの又は有線の通信を可能にすることができる１つ以上のインターフェース４０２を含むことができる。
【００１５】
いくつかの実施形態において、本明細書に説明されるモバイル装置又は他の装置は、ポータブルワイヤレス通信装置、例えば、パーソナルデジタルアシスタント（ＰＤＡ）、ワイヤレス通信能力を有するラップトップ又はポータブルコンピュータ、ウェブタブレット、ワイヤレス電話、スマートフォン、ワイヤレスヘッドセット、ページャ、インスタントメッセージング装置、デジタルカメラ、アクセスポイント、テレビジョン、医療装置（例えば、心拍モニタ、血圧モニタ等）、又は、情報をワイヤレスに受信し及び／又は送信する他の装置などの、一部であり得る。いくつかの実施形態において、モバイル装置又は他の装置は、キーボード、ディスプレイ、不揮発メモリポート、複数のアンテナ、グラフィックスプロセッサ、アプリケーションプロセッサ、スピーカー、及び他のモバイル装置要素のうち、１つ以上を含むことができる。ディスプレイは、タッチスクリーンを含むＬＣＤ画面であり得る。
【００１６】
いくつかの実施形態において、モバイル装置又は他の装置は、３ＧＰＰ標準に従って動作するように構成されたＵＥ２００又はｅＮＢ３００であり得る。したがって、ｅＮＢ３００は、ＵＥ２００とＰＧＷ１１０との間におけるＰＳサービスのためのＥＰＳベアラ１３０の確立のために、ＭＭＥ１０６からＥＰＳベアラセットアップメッセージを受信するように構成されることができる。ＥＰＳベアラセットアップメッセージは、ＰＳサービスのためのトラフィックがＵＥ２００において留意されているか又は留意されていないかどうかを示す、ＰＳサービスのための留意インジケータを含むことができる。ｅＮＢ３００は、さらに、ＰＳサービスの一部としてＵＥ２００にトラフィックパケットを送信し、ＵＥ２００からトラフィックパケットを受信することができ、ネットワーク内の輻輳制御の一部として留意インジケータを使用することができる。上記の実施形態は、以下により詳細に説明される。いくつかの実施形態において、モバイル装置又は他の装置は、ＩＥＥＥ８０２．１１又は他のＩＥＥＥ標準を含む他のプロトコル又は標準に従って動作するように構成されることができる。
【００１７】
アンテナ２０１、３０１は、例えば、ダイポールアンテナ、モノポールアンテナ、パッチアンテナ、ループアンテナ、マイクロストリップアンテナ、又はＲＦ信号の伝送に適した他タイプのアンテナを含む、１つ以上の指向性又は全方向性のアンテナを含むことができる。いくつかのＭＩＭＯ（multiple-input  multiple-output）実施形態において、アンテナ２０１、３０１は、効率的に分離されて、空間ダイバーシティと結果として生じ得る異なるチャネル特性との利点を活かすことができる。
【００１８】
ＵＥ２００及びｅＮＢ３００は各々、いくつかの別個の機能要素を有するものとして例示されているが、機能要素のうち１つ以上が組み合わせられてもよく、ソフトウェアにより構成された要素の組み合わせ、例えば、デジタルシグナルプロセッサ（ＤＳＰ）を含む処理要素など、及び／又は他のハードウェア要素によって実装されてもよい。例えば、いくつかの要素が、１つ以上のマイクロプロセッサ、ＤＳＰ、フィールドプログラマブルゲートアレイ（ＦＰＧＡ）、特定用途向け集積回路（ＡＳＩＣ）、無線周波数集積回路（ＲＦＩＣ）、及び、本明細書に説明される機能を少なくとも実行する様々なハードウェア要素及びロジック回路の組み合わせを含むことができる。いくつかの実施形態において、機能要素は、１つ以上の処理要素上で動作する１つ以上の処理を参照し得る。
【００１９】
実施形態は、ハードウェア、ファームウェア、及びソフトウェアのうち、１つ又は組み合わせにおいて実装されることができる。実施形態は、さらに、少なくとも１つのプロセッサにより読み出され及び実行されて本明細書に説明される動作を実行することができる、コンピュータ可読記憶装置上に記憶された命令として実装されてもよい。コンピュータ可読記憶装置には、マシン（例えば、コンピュータ）により読取可能な形式において情報を記憶する任意の非一時的メカニズムを含むことができる。例えば、コンピュータ可読記憶装置には、読取専用メモリ（ＲＯＭ）、ランダムアクセスメモリ（ＲＡＭ）、磁気ディスク記憶媒体、光学記憶媒体、フラッシュメモリ装置、及び、他の記憶装置及び媒体が含まれ得る。いくつかの実施形態が、１つ以上のプロセッサを含むことができ、コンピュータ可読記憶装置上に記憶された命令を用いて構成されることができる。
【００２０】
実施形態に従い、ｅＮＢ１０４は、進化型パケットシステム（ＥＰＳ）ベアラに従ってネットワークにおいてパケット交換（ＰＳ）サービスをサポートすることができる。ｅＮＢ１０４は、ハードウェア処理回路を含んで、ＵＥ１０２とＰＧＷ１１０との間におけるＰＳサービスのためのＥＰＳベアラの確立のために、ＭＭＥからＥＰＳベアラセットアップメッセージを受信することができる。ＥＰＳベアラセットアップメッセージは、ＰＳサービスのためのトラフィックがＵＥ１０２において留意されているか又は留意されていないかをどうかを示す、ＰＳサービスのための留意インジケータを含むことができる。ハードウェア処理回路は、ＥＰＳベアラに従って、ＰＳサービスの一部としてＵＥ１０２にトラフィックパケットを送信するようにさらに構成されることができる。上記の実施形態は、以下により詳細に説明される。
【００２１】
いくつかのシナリオにおいて、ＵＥ１０２におけるあるアプリケーションのユーザは、このアプリケーションと相互作用し又はこのアプリケーションに注意を払ってはいない可能性がある。こうした時間期間の間のアプリケーションのトラフィックは、留意されていないトラフィックである可能性があり、ゆえに、ユーザがアクティブに関与しているアプリケーションのためのトラフィックよりも重要でないと考えられることができる。さらに、ＵＥ１０２における留意されていないトラフィックは、少なくとも全体的なネットワーク及びシステムの視点から、異なるモバイル装置におけるアプリケーションからの留意されているトラフィックよりも重要でない可能性もある。
【００２２】
図５を参照すると、ＥＰＳベアラ１３０に従いパケット交換（ＰＳ）サービスをサポートする方法５００が図示されている。方法５００の実施形態は、図５に例示される動作及び処理と比較してさらなる又はより少なくさえある動作又は処理を含んでもよいことに注意することが重要である。さらに、方法５００の実施形態は、必ずしも図５に示されている時間的な順序に限定されない。方法５００の説明において、図１乃至４及び図６乃至１１に対して参照が行われる可能性がある。しかしながら、方法５００は、任意の適切なシステム、インターフェース、及びコンポーネントで実施され得ることが理解される。
【００２３】
さらに、方法５００及び本明細書に説明される他の方法は、３ＧＰＰ又は他の標準に従って動作するｅＮＢ１０４又はＵＥ１０２を参照することがあるが、これら方法の実施形態は、単に上記のｅＮＢ１０４又はＵＥ１０２に限定されず、他のモバイル装置、例えば、Ｗｉ−Ｆｉアクセスポイント（ＡＰ）又はユーザ局（ＳＴＡ）などにおいて実施されてもよい。さらに、方法５００及び本明細書に説明される他の方法は、様々なＩＥＥＥ標準、例えばＩＥＥＥ８０２．１１などに従って動作するように構成されたシステムを含む、他の適切なタイプのワイヤレス通信システムにおいて動作するように構成されたワイヤレス装置によって実施されてもよい。
【００２４】
方法５００の動作５０５において、ＵＥ１０２とパケットデータネットワークゲートウェイ（ＰＧＷ）１１０との間におけるＰＳサービスのためのＥＰＳベアラ１３０の確立のためのＥＰＳベアラセットアップメッセージが、ｅＮＢ１０４において受信されることができる。いくつかの実施形態において、ＥＰＳベアラセットアップメッセージは、モビリティマネジメントエンティティ（ＭＭＥ）１０６からｅＮＢ１０４において受信されることができる。すなわち、ＥＰＳベアラセットアップメッセージは、ＵＥ１０２とＰＧＷ１１０との間におけるＰＳサービスのためのＥＰＳベアラ１３０の確立のために、ＭＭＥ１０６によってｅＮＢ１０４に送信されることができる。しかしながら、こうした実施形態は限定ではなく、類似の又は他のＥＰＳベアラセットアップメッセージが、他のコンポーネントからｅＮＢ１０４においてさらに受信されてもよい。ＥＰＳベアラセットアップメッセージは、ＰＳサービスのためのトラフィックがＵＥ１０２において留意されているか又は留意されていないかどうかを示す、ＰＳサービスのための留意インジケータを含むことができる。
【００２５】
ＥＰＳベアラセットアップメッセージは、ＥＰＳベアラ１３０の確立に関連する任意の適切なメッセージであり得ることが注意されるべきである。一例として、ＭＭＥ１０６は、ＥＰＳベアラ１３０をセットアップする処理を管理することができ、ＥＰＳベアラセットアップメッセージ及び他のメッセージを処理の一部としてｅＮＢ１０４に送ることができる。ｅＮＢ１０４において受信されるＥＰＳベアラセットアップメッセージは、「初期コンテキストセットアップ要求」メッセージ又は類似のものであってもよく、しかしこのようなものには限定されない。ＥＰＳベアラセットアップメッセージは、３ＧＰＰ又は他の標準若しくは仕様に含まれるメッセージであってもよく、しかしこのようなものには限定されない。さらに、ＥＰＳベアラ１３０の確立処理の管理は、ＭＭＥ１０６に限定されない。
【００２６】
いくつかの実施形態において、ＰＳサービスは、ＵＥ１０２において動作するアプリケーションに関連付けられることができ、ＰＳサービスのためのトラフィックが留意されているとき、このトラフィックは少なくとも部分的に、ＵＥ１０２におけるアプリケーションとのユーザインタラクションの時間期間の間にアプリケーションによって生成され、あるいは使用される可能性がある。すなわち、アプリケーションのための留意されているトラフィックは、アプリケーションとのユーザインタラクション又は人間の相互作用に関連付けられることができる。さらに、ＰＳサービスのためのトラフィックが留意されていないとき、このトラフィックは少なくとも部分的に、ＵＥ１０２におけるアプリケーションとのインタラクションを欠く時間期間の間にアプリケーションによって生成され、あるいは使用される可能性がある。すなわち、アプリケーションのための留意されていないトラフィックは、アプリケーションとのユーザインタラクション又は人間の相互作用の欠如に関連付けられることができる。トラフィックの、留意されている／留意されていないとした分類は、いくつかの場合において一時的である可能性があり、ユーザのふるまい、ＵＥ１０２におけるユーザ入力（アプリケーションに関連付けられたウィンドウ上でのマウスクリックなど）の結果として変わる可能性があることが注意されるべきである。さらに、いくつかのアプリケーションが、留意されているトラフィックと留意されていないトラフィックとの双方に関連付けられる可能性がある。
【００２７】
一例として、音声トラフィックは、該トラフィックがＵＥ１０２のユーザが電話で会話をすることを可能にし得るため、留意されているトラフィックと考えられることができる。別の例として、ユーザが、ファイルのダウンロードを、ダウンロード処理に注意を払い又はダウンロード処理と相互作用することなく、ＵＥ１０２においてバックグラウンドで開始することがある。上記の例におけるトラフィックダウンロードは、留意されていないトラフィックとして考えられ、あるいは分類されることができる。同じ例において、ユーザはＵＥ１０２におけるダウンロードの進捗を与えるウィンドウをアクティブに注視する可能性があり、あるいは、ユーザはダウンロードの進捗を確認する可能性があり、こうした場合、トラフィックは、留意されているトラフィックと考えられ、あるいは分類される可能性がある。
【００２８】
留意インジケータは、留意されている／留意されていないの値をとることに限定されず、ｙｅｓ／ｎｏ又は類似のものなどの値をさらにとり得ることが注意されるべきである。さらに、留意インジケータは２進数値に限定されず、他の関連情報をさらに含んでもよく、この関連情報は、ただの単一の２進法インジケータより多くを必要としてもよい。いくつかの実施形態において、留意インジケータは、ネットワーク又はネットワークのコンポーネント、例えばｅＮＢ１０４などが、例えば、スケジューリング、優先順位付け、輻輳制御、最適化、又は、ネットワーク動作又は性能に関連する他の動作などの目的で、留意されているトラフィックと留意されていないトラフィックとの間で区別することを可能にし得る。
【００２９】
いくつかの実施形態において、ＰＳサービスのための留意インジケータは、様々なコンポーネントにおいて又はＵＥ１０２において記憶され又は使用されるコンテキスト情報に含まれることができる。例えば、ＥＰＳベアラコンテキストが、各ＥＰＳベアラのための留意インジケータを、ＥＰＳベアラ１３０に関連する他の構成情報、例えば、ＥＰＳベアラＩＤ、トランザクション識別子（Transaction  Identifier）、トンネルエンドポイント識別子（Tunnel  Endpoint  Identifiers）、Ｐ−ＧＷ  ＩＰアドレス、ＱＣＩ、及びトラフィックフローテンプレート（Traffic  Flow  Template）（ＴＦＴ）などに対して追加で含むことができる。したがって、ＥＰＳベアラコンテキスト又は他のコンテキストに含まれる留意インジケータは、いくつかの実施形態において、ＱＣＩの外部に含まれることがあり、あるいはＱＣＩから除外されることがある。しかしながら、上記の実施形態は限定ではなく、留意インジケータはいくつかの実施形態においてＱＣＩ内に含まれることが可能であり、このことは以下に説明される。ＱＣＩ内に留意インジケータを含めることは、ＥＰＳベアラコンテキスト又は他のコンテキストに対する追加であってもよく、あるいは代わりであってもよい。
【００３０】
いくつかの実施形態において、ＥＰＳベアラセットアップメッセージは、ＰＳサービスのためのサービス品質（Quality  of  Service）クラスインジケータ（ＱＣＩ）を含むことができ、上記ＱＣＩは、ＱＣＩ優先順位、ＱＣＩ性能閾値、及びＰＳサービスのための留意インジケータに関連付けられる。ＱＣＩ及び本明細書に説明されるＱＣＩの例は、３ＧＰＰ又は他の標準の一部として含まれることがあり、しかしそのようには限定されず、これら標準から離れて定義され又は規定され得ることが注意されるべきである。
【００３１】
図６乃至図８を参照すると、いくつかの例示的なＱＣＩが、ＱＣＩテーブル６００、７００、８００に提示されている。テーブル６００、７００、８００及び他のＱＣＩテーブル又はデータ構造が、本明細書に説明される動作及び手法に利用されることができ、しかし上記動作及び手法は、提示されるテーブル形式内の情報の使用又は記憶に限定されないことが注意されるべきである。さらに、ＱＣＩの数、及び各ＱＣＩに関連付けられたパラメータの数は、図６乃至図８に示される数によって限定されず、図６乃至図８に示されるパラメータに関する値は、例示目的のために示される非限定的な例である。
【００３２】
図６において、テーブル６００の９行の各々が、ＱＣＩ６１０（したがって、１〜９とラベル付けされる）と、ＱＣＩ６１０に関連し、関連付けられ、又は含まれる他のパラメータ又は情報とに関連付けられる。各ＱＣＩ６１０について、例示的なサービス６４０が、限定ではなく例示目的で列挙されており、列挙されていない他のサービスが、ＱＣＩ６１０の１つをさらに利用してもよい。リソースタイプ６１５は、保証されたビットレート（ＧＢＲ）又は非ＧＢＲの値をとることができる。ＱＣＩ６１０のための優先順位６２０は、テーブル６００内におけるランク付け又は他の分類であり得る。一例として、スケジューリングアルゴリズムが、より低い優先順位のＱＣＩに関連付けられたトラフィックパケットの前に、高い優先順位に関連付けられたトラフィックパケットを送ることを選ぶことができる。
【００３３】
ＱＣＩ６１０のためのパケット遅延バジェット（packet  delay  budget）６２５及びパケットエラーロスレート６３０は、満足のいくユーザ体験を維持するために満たされるべき動作状態を記述するＱＣＩ性能閾値であり得る。例えば、テーブル６００の中のＱＣＩ＃３は、テーブル６００の中で最も低いパケット遅延バジェット６２５（例えば、５０ミリ秒）を有し、これが、遅延が５０ミリ秒を上回る場合にユーザ体験が悪くなり得るリアルタイムゲーミング（gaming）などのアプリケーションに適用され得る。各ＱＣＩ６１０のための留意インジケータ６３５は、ＵＥ１０２におけるアプリケーションとのユーザインタラクション（又は、その欠如）に関してこれまで説明されたとおり、留意されている／留意されていないの値をとることができる。テーブル６００に図示される留意インジケータ６３５の値は単に例であり、他のテーブル又は実装が留意インジケータ６３５のための異なる値を提供してもよいことが注意されるべきである。
【００３４】
図７において、テーブル７００の１８行が各々、ＱＣＩ７１０に関連付けられ、各ＱＣＩ７１０は、リソースタイプ７１５、優先順位７２０、パケット遅延バジェット７２５、パケットエラーロスレート７３０、留意インジケータ７３５、及び例示的なサービス７４０に関連付けられる。これらパラメータ又は例についての前の説明は、図６の説明中に与えられたものと同様であり得る。この例において、ＱＣＩ７１０は、２つのセットのうち一方、１〜９又は１’〜９’のいずれかからの値でラベル付けされている。いくつかの実施形態において、同じ番号を有する各セットからの２つの値が、留意インジケータを例外として、互いのクローンと考えられることができる。例えば、ＱＣＩ＃３’は、各々について列挙されたすべてのＱＣＩパラメータが、留意インジケータ７３５を例外として同じであるため、ＱＣＩ＃３のクローンと考えられることができる。同様に、ＱＣＩ＃１乃至ＱＣＩ＃９の各々について、クローンと考えられることが可能な１’〜９’からラベル付けされた別のＱＣＩが存在する。このように限定されないが、図６〜図７の例において、１〜９とラベル付けされたＱＣＩ７１０は、（留意インジケータ６３５、７３５以外、）図６において１〜９とラベル付けされたＱＣＩ６１０と同じパラメータを有する。ＱＣＩクローンの概念は限定ではなく、上記の品質を満足する１つ以上のＱＣＩの代表の役割を果たし得ることがさらに注意されるべきである。さらに、上記で説明された番号付け手法は限定ではない。一例として、２つのＱＣＩが、上記で説明されたとおりの互いのクローンとして適任である場合があり、しかし２つの異なる番号、例えば“１２”及び“１５”などでラベル付けされることができる。
【００３５】
図８において、テーブル８００の１４行が各々、ＱＣＩ８１０に関連付けられ、各ＱＣＩ８１０は、リソースタイプ８１５、優先順位８２０、パケット遅延バジェット８２５、パケットエラーロスレート８３０、留意インジケータ８３５、及び例示的なサービス８４０に関連付けられる。これらパラメータ及び例についての前の説明は、図６〜図７の説明中に与えられたものと同様であり得る。この例において、ＱＣＩ８１０は、２つのセットのうち一方、１〜９又は１’〜９’のいずれかからの値でラベル付けされている。いくつかの実施形態において、同じ番号を有する各セットからの２つの値が、互いのクローンと考えられることができる。例えば、ＱＣＩ＃４’は、各々について列挙されたすべてのＱＣＩパラメータが、留意インジケータ８３５を例外として同じであるため、ＱＣＩ＃４のクローンと考えられることができる。しかしながら、テーブル７００からのＱＣＩ７１０と対照的に、ＱＣＩ８１０のすべてが列挙されたクローンＱＣＩ８１０を有してはいない。例えば、ＱＣＩ＃１、＃２、＃３、及び＃７は、留意インジケータ８３５以外のすべてのパラメータが同じであるクローンＱＣＩ８１０を有さない。こうした場合についての留意インジケータ８３５は「留意されている」の値をとり、テーブル８００は「留意されていない」場合のためのクローンを含まない。いくつかの場合に、留意されているＱＣＩ又は留意されていないＱＣＩのみを有し、しかし双方を有さないことが意味を成し得る。例えば、ＱＣＩ＃１に従って動作する会話の音声サービスは、サービス（人が話している）の性質に起因して、留意されているトラフィックだけを生成し又は使用する可能性がある。
【００３６】
図８の例において、テーブル８００は、ＱＣＩ７１０のうちいくつかが除外されているテーブル７００のサブセットと考えられることができる。いくつかの場合、テーブル８００を利用する方法が、テーブル６００を利用する方法とテーブル７００を使用する方法との間のハイブリッドと考えられることができる。
【００３７】
これまで言及されたとおり、ＥＰＳベアラセットアップメッセージは、ＰＳサービスのためのＱＣＩを含むことができる。ＰＳサービスのためのＱＣＩは、所定グループの候補ＱＣＩ、例えば、６００、７００、又は８００などのテーブルに含まれるものなどに含まれることができる。各候補ＱＣＩは、ＱＣＩ優先順位、ＱＣＩ性能閾値、及び留意インジケータに関連付けられることができ、しかし、そのようには限定されず、他のＱＣＩパラメータに関連付けられてもよい。
【００３８】
一例として、候補ＱＣＩのグループは、第１の候補ＱＣＩ及び第２の候補ＱＣＩを含むことができ、第１の候補ＱＣＩのための第１のＱＣＩ優先順位は、第２の候補ＱＣＩのための第２のＱＣＩ優先順位と同じであり得る。上記実施形態において、第１の候補ＱＣＩのための第１のＱＣＩ性能閾値は、第２の候補ＱＣＩのための第２のＱＣＩ性能閾値と同じであり得る。さらに、第１の候補ＱＣＩ及び第２の候補ＱＣＩのための留意インジケータは、上記実施形態において異なり得る。一例として、第１の候補ＱＣＩは、第２の候補ＱＣＩのクローンであり得る。候補ＱＣＩのグループは、単に第１の候補ＱＣＩ及び第２の候補ＱＣＩより多くを含んでもよいことが注意されるべきである。テーブル７００の中のＱＣＩ７１０は、その各々がクローンを有し、１つの上記の実施形態の一例と考えられることができる。
【００３９】
別の例として、候補ＱＣＩのグループは、ちょうど説明された第１の候補ＱＣＩ及び第２の候補ＱＣＩ、並びに可能性として他の候補ＱＣＩに対して追加で、第３の候補ＱＣＩをさらに含むことができる。第３の候補ＱＣＩは、第３のＱＣＩ優先順位、第３のＱＣＩ性能閾値、及び第３の留意インジケータに関連付けられることができる。第３の候補ＱＣＩ以外の、候補ＱＣＩのグループの中の各候補ＱＣＩは、第３のＱＣＩ優先順位とは異なるＱＣＩ優先順位に関連付けられることができ、あるいは、第３のＱＣＩ性能閾値とは異なるＱＣＩ性能閾値に関連付けられることができる。したがって、候補ＱＣＩのグループは、第３の候補のためのクローンＱＣＩを有さない場合がある。テーブル８００の中のＱＣＩ８１０は、ＱＣＩ８１０のうちいくつかがテーブル８００の中に列挙されたクローンを有し、いくつかがそうではないため、１つのこうした実施形態の例と考えられることができる。
【００４０】
方法５００に戻ると、動作５１０において、トラフィックパケットが、ＥＰＳベアラ１３０に従って、ＰＳサービスの一部としてＵＥ１０２に送信されることができる。さらに、トラフィックパケットは、ＥＰＳベアラ１３０に従ってＵＥ１０２、ｅＮＢ１０４、ＳＧＷ１０８、及びＰＧＷ１１０の間で任意の方向においてやりとりされることができる。これまで説明されたとおり、ＥＰＳベアラ１３０は、留意インジケータ及び／又はＱＣＩに関連付けられることができ、留意インジケータ及び／又はＱＣＩは、リソース、優先順位付け、スケジューリング、トラフィックシェーピング、又は上記及び他の送信についての他の態様の割り当てを決定し、又はこれらに影響を与えることができる。
【００４１】
動作５１５において、ネットワークの輻輳レベルが決定されることができる。輻輳レベルは、帯域幅又はレイテンシなどのネットワークの性能尺度における不足分を含み、又は参照し得る。輻輳レベルは、上記リソースにおける不足についての量又は予測された量であってもよく、あるいは、輻輳が発生しているか、発生することになるか、あるいは発生し得るとの指標であってもよい。輻輳は、ＥＰＳベアラ１３０の１つ以上のリンクにおいて発生し得る。一例として、ｅＮＢ１０４とＵＥ１０２との間におけるアップリンク又はダウンリンク無線ベアラが輻輳になり得る。別の例として、ｅＮＢ１０４とＵＥ１０２との間におけるＳ１ベアラ１２０、又は、ＳＧＷ１０８とＰＧＷ１１０との間におけるＳ５／Ｓ８ベアラ１２５が、輻輳になり得る。
【００４２】
動作５２０において、ＰＳサービスのためのトラフィックパケットの送信が、輻輳レベルが輻輳閾値を上回るとき、遅延させられることができる。動作５２５において、第２のＰＳサービスのための第２のトラフィックパケットが、輻輳レベルが輻輳閾値を上回るとき、送信されることができる。輻輳閾値は、ネットワークの性能が劣化し得るところの所定の又は予測された値であり得る。輻輳閾値は、単一の性能パラメータ、又はＥＰＳベアラに沿った単一のポイントに限定されない。例えば、輻輳閾値は、一緒に経験される利用可能な帯域幅及びレイテンシを考慮に入れることができる。上記の輻輳閾値は、シミュレーション、分析、又は他の手法を通して決定されてもよい。さらに、送信はワイヤレス又は有線であることが可能であり、このことは送信に従事させられるコンポーネントに依存し得ることが注意されるべきである。
【００４３】
一例として、優先順位付けの一部として、コンポーネント、例えばｅＮＢ１０４又は他のコンポーネントなどが、第１のＰＳサービスからの１つ以上のパケットの送信を遅延させて、第２のＰＳサービス（又は、その他）からの１つ以上のより高い優先順位のパケットが限られたリソース上で送信されることを可能にする必要があり得る。実施形態は、上記の例において説明されるパケット及びＰＳサービスの数に限定されないことが注意されるべきである。いくつかの実施形態において、第２のＰＳサービスは、同じＵＥ１０２に関連付けられることが可能であり、ＵＥ１０２とＰＧＷ１１０との間に確立された第２のＥＰＳベアラに従って動作することができる。いくつかの実施形態において、第２のＰＳサービスは、同じｅＮＢ１０４によって扱われる第２の異なるＵＥに関連付けられることができる。
【００４４】
留意パラメータは、さらに、優先順位付けの一部として、又は輻輳制御の一部として使用されることができる。一例として、第１のＰＳサービスのためのトラフィックが留意されていない場合があり、第２のＰＳサービスのためのトラフィックが留意されている場合がある。輻輳レベルが輻輳閾値を上回るとの決定に応答して、第１のＰＳサービスのための第１のトラフィックパケットの送信が遅延されることができ、しかし、第２のＰＳサービスのための第２のトラフィックパケットは送信されることができる。いくつかの場合に、このことは、第２のＰＳサービスが第１のＰＳサービスより低いＱＣＩ優先順位を有するにもかかわらず、発生し得る。したがって、いくつかの実施形態において、留意インジケータは、輻輳期間の間、輻輳制御の一部として、ＱＣＩ優先順位をオーバーライドする（over-ride）ことができる。
【００４５】
実施形態は、説明されたＱＣＩ優先順位及び留意インジケータを有する２つのＰＳサービスの例に限定されず、優先順位付け及び／又は輻輳制御の一部として他のケースが考慮されることが可能であり、他のストラテジが採用され得ることが注意されるべきである。例えば、留意されていないＰＳサービスのために送信されるパケットの部分のみが、パケットのグループ全体とは対照的に、遅延させられることができる。上記の例は、網羅的であることは意図されず、しかし、ＥＰＳベアラ１３０又はＱＣＩの一部として含まれる留意インジケータが、他のＱＣＩパラメータ又は他のパラメータに対して追加で又は代わって、輻輳制御のためのパラメータとして使用され得ることを例示するものである。
【００４６】
方法５００に戻ると、動作５３０において、第２のＰＳサービスのための第２のＥＰＳベアラ１３０の確立のための第２のＥＰＳベアラセットアップメッセージが、ｅＮＢ１０４においてＭＭＥ１０６から受信されることができる。いくつかの実施形態において、ＰＳサービスのための第１のＱＣＩ優先順位は、第２のＰＳサービスのための第２のＱＣＩ優先順位と同じであることが可能であり、ＰＳサービスのための第１のＱＣＩ性能閾値は、第２のＰＳサービスのための第２のＱＣＩ性能閾値と同じであることが可能である。さらに、ＰＳサービス及び第２のＰＳサービスのための留意インジケータは、異なることが可能である。したがって、ＰＳサービスと第２のＰＳサービスとは、これまで説明されたとおり、互いのクローンであり得る。ｅＮＢ１０４は、ＵＥ１０２と共に双方のＰＳサービスを確立することができ、ＵＥ１０２は、ユーザ留意又は他のふるまいに応答して、上記２つの間で交替することができる。
【００４７】
動作５３５において、ネットワークの輻輳レベルとＰＳサービスのためのＵＥ１０２の利用可能スループットとを含むＵＥ１０２のためのリソースインジケータが、送信されることができる。いくつかの実施形態において、リソースインジケータは、ネットワークの輻輳状態の決定に応答して送信されることができる。輻輳状態の一例として、輻輳レベルが輻輳閾値より大きい場合があり、輻輳閾値はスループット又は他の性能パラメータに関連し得る。別の例として、送信のために待機するパケットのバックログ又はキューが、大きくなる場合がある。別の例として、キューの中のいくつかのパケットが、かなりのレイテンシをすでに招いている場合があり、緊急に送信されない場合に合計レイテンシを超過するリスクがある場合がある。
【００４８】
いくつかの実施形態において、リソースインジケータは、ＵＥ１０２のための利用可能リソースレベルを（スループット又は他のパラメータの観点において）含むことができる。リソースインジケータは、時間期間をさらに含むことができ、したがって、ＵＥ１０２は、その時間期間内に指定されたリソースを利用することができる。いくつかの実施形態において、リソースインジケータは、所定のマッピングに従って利用可能リソースレベルにマッピングされることが可能な、ネットワークのための輻輳レベル又は他のコードを含むことができる。例えば、０、１、２、及び３の輻輳レベルが、それぞれ、「輻輳なし」、１００、１０、及び１Ｍｂｐｓにマッピングされることができる。すなわち、０の輻輳レベルは、ネットワークが輻輳を経験していないときに送信されることができ、ＵＥ１０２は、「通常」モードにおいて動作することができる。１、２、又は３の輻輳レベルは、ＵＥ１０２に、上記の例又は他の値に従って利用可能スループットの使用を制限するように知らせることができる。したがって、ＵＥ１０２は、上記情報を内部タスクのために利用することができ、内部タスクには、これらに限られないが、リソース（スループットなど）を割り当てること、アプリケーションをブロックすること、又は、パケット又はアプリケーション内にあり得る内部の優先順位付けを提供することが含まれ得る。一例として、ＵＥ１０２又は他の集中型アプリケーションのオペレーティングシステム（ＯＳ）、又は新しいソフトウェアレイヤが、上記の動作を実行し、又は該動作に従事させられることができる。別の例として、新しいソフトウェアレイヤは、３ＧＰＰ又は他の標準のためのものであり得る。
【００４９】
いくつかの実施形態において、リソースインジケータは２進数インジケータであり、輻輳している／輻輳していない、ｙｅｓ／ｎｏ、又は類似のものなどの値をとって、ネットワークが輻輳を経験しているか否かを示すことができる。リソースインジケータは、いくつかの実施形態において、ＵＥ１０２又は他のＵＥにブロードキャストされることができる。リソースインジケータは、さらに、いくつかの実施形態において、専用の制御又は他のメッセージにおいてＵＥ１０２に送信されてもよい。
【００５０】
動作５４０において、関連付けられた第２の無線ベアラが、ＥＰＳベアラ１３０の一部として確立されることができる。ＰＳサービスのためのＥＰＳベアラ１３０は、ＰＳサービスのための第１の留意インジケータに関連付けられた第１の無線ベアラを含むことができる。第２の無線ベアラは、第１の留意インジケータとは異なる第２の留意インジケータに関連付けられることができる。したがって、第２の無線ベアラは、第１の無線ベアラの反映（mirror）と考えられることができる。いくつかの実施形態において、無線ベアラ以外の、ＥＰＳベアラに含まれる他のベアラが、第１の留意インジケータに関連付けられたままであってもよい。動作５４５において、ｅＮＢ１０４が、ネットワークのための輻輳制御が決定されるとき、第１の無線ベアラと第２の無線ベアラとについて、異なる利用可能スループットをＵＥ１０２に割り当てることができる。上記割り当ては、第１の留意インジケータ及び第２の留意インジケータに少なくとも部分的に基づくことが可能である。一例として、第１の無線ベアラと第２の無線ベアラとは、留意されているトラフィックと留意されていないトラフィックとに関連付けられることができ、ｅＮＢ１０４は、留意されているトラフィックに関連付けられた無線ベアラに、より多くのスループットを割り当てることができる。上記の実施形態は限定的ではなく、ＵＥ１０２のための異なる利用可能リソースの割り当ては、輻輳状態の決定に応答した発生に限られない。
【００５１】
図９を参照すると、ＥＰＳベアラに従ってＰＳサービスをサポートする方法９００が図示されている。方法５００に関連してこれまで言及されたとおり、方法９００の実施形態には、図９に例示される動作又は処理と比較して、さらなる又はより少なくさえある動作又は処理を含むことができ、方法９００の実施形態は、必ずしも図９に示されている時間的な順序に限定されない。方法９００の説明において、図１〜図８及び図１０に対して参照が行われる可能性がある。しかしながら、方法９００は、任意の適切なシステム、インターフェース、及びコンポーネントで実施され得ることが理解される。さらに、方法９００の実施形態は、ＭＭＥ、ｅＮＢ１０４、ＵＥ１０２、ＡＰ、ＳＴＡ、他のワイヤレス装置、他のモバイル装置、又はワイヤレスネットワークの他の装置若しくはコンポーネントを参照し得る。
【００５２】
方法５００に関連した前の議論、手法、動作、及び概念が、いくつかの場合に方法９００に適用され得ることが注意されるべきである。例えば、方法５００の一部として説明された留意インジケータ、ＱＣＩ、ＱＣＩパラメータ、ＥＰＳベアラ、ＰＳサービスが、方法９００に使用される対応する概念と類似し、あるいは同じであり得る。
【００５３】
動作９０５において、第１のＥＰＳベアラセットアップメッセージが、ＵＥ１０２とパケットデータネットワークゲートウェイ（ＰＧＷ）１１０との間の第１のＰＳサービスのための第１のＥＰＳベアラの確立のために、ＵＥ１０２において受信されることができる。第１のＥＰＳベアラセットアップメッセージは、第１のＰＳサービスのためのトラフィックがＵＥ１０２において留意されているか又は留意されていないかどうかを示す、第１のＰＳサービスのための第１の留意インジケータを含むことができる。留意インジケータは、第１のＰＳサービスの一部としてＵＥ１０２において動作するアプリケーションのためのものであってもよく、これまで説明された留意インジケータと類似し、あるいは同じであり得る。
【００５４】
動作９１０において、関連付けられた第２のＰＳサービスのための第２のＥＰＳベアラの確立のための第２のＥＰＳベアラセットアップメッセージが、ＵＥ１０２において受信されることができる。第２のＰＳサービスは、ＵＥ１０２における同じアプリケーションに関連付けられてもよく、第２のＰＳサービスのための第２の留意インジケータを含むことができる。いくつかの実施形態において、第１のＰＳサービスのための第１のＱＣＩ優先順位は、第２のＰＳサービスのための第２のＱＣＩサービスタイプと同じであり得る。上記の実施形態において、第１のＰＳサービスのための第１のＱＣＩ性能閾値は、第２のＰＳサービスのための第２のＱＣＩ性能閾値と同じであり得る。上記の実施形態において、第１の留意インジケータと第２の留意インジケータとは異なることが可能であり、その場合、第１のＥＰＳベアラと第２のＥＰＳベアラとは、ミラーベアラ（mirror  bearers）と考えられることができる。さらに、第１のＱＣＩと第２のＱＣＩとは、留意インジケータパラメータを除き、互いのクローンであり得る。
【００５５】
上記の配置は、ＵＥ１０２が第１のＥＰＳベアラと第２のＥＰＳベアラとの双方を確立させることができ、トラフィックが、上記２つのうち適切なベアラ上で、該トラフィックが留意されている又は留意されていない（あるいは、留意されている又は留意されていないと決定される）か否かに基づいて送られることができる点において、有益であり得る。したがって、アプリケーションの留意ステートが、ＵＥ１０２において任意の適切な手法を用いて決定されることができ、上記適切な手法には、これらに限られないが、オペレーティングシステム（ＯＳ）、ＵＥのハードウェア、ＵＥにおけるソフトウェアのミドルレイヤ、又はＵＥで動作するアプリケーションにおいて使用される手法が含まれる。動作９１５において、トラフィックパケットが、アプリケーションの留意ステートが第１の留意インジケータにマッチするとき、第１のＰＳサービスの一部としてｅＮＢ１０４に送信されることができる。動作９２０において、トラフィックパケットが、アプリケーションの留意ステートが第２の留意インジケータにマッチするとき、第２のＰＳサービスの一部としてｅＮＢ１０４に送信されることができる。動作９２５において、アプリケーションの留意ステートは、第１のＰＳサービスの一部として送信されるトラフィックパケットに含まれることができる。さらに、アプリケーションの留意ステートは、第２のＰＳサービスの一部として送信されるトラフィックパケットにさらに含まれてもよい。
【００５６】
いくつかの実施形態において、ＵＥ１０２は、ｅＮＢ１０４に送信されるアップリンクパケットを、留意されている又は留意されていないとしてマーク付けすることができる。マーク付けは、パケットのヘッダ内において、又はパケットのトラフィック部分内において、任意の適切な仕方で行われてよい。ＰＧＷ１１０は、ＵＥ１０２からの指標に応答して、ダウンリンクパケットを留意されている又は留意されていないとしてマーク付けすることができる。さらに、ＰＧＷ１１０、ＳＧＷ１０８、又はｅＮＢ１０４のうち任意のものが、ダウンリンクパケットを留意されている又は留意されていないとして分類し、かつ／あるいはマーク付けすることができる。ＵＥ１０２は、所与のアプリケーションが現在留意されているか否かに気付くことが可能であり、所与のアプリケーションに対して任意の所与の時間にいずれのベアラを使用すべきかを選択することができる。ＵＥ１０２は、留意ステートが変わる場合、１つのベアラから別のベアラに割り当てを変更することができる。ネットワークは、上記２つのうち所与のベアラにおいてトラフィックを受信することができ、ダウンリンクにおけるＵＥ１０２のための同じタイプのトラフィックを同じタイプのベアラ（留意されている対留意されていない）にマッピングすることができる。ネットワークは、例えば、パケット検査を実行し、アップリンクにおける特定のＩＰアドレスに進むすべてのトラフィックを、（所与のＵＥ１０２のための）ダウンリンクにおける同じＩＰアドレスから来るトラフィックにマッピングすることができる。このマッピングは、ＰＧＷ１１０において行われることができる。したがって、ネットワークは、上記情報を使用して、ＵＬ及びＤＬの双方においてトラフィック分類を実行して、パケットを優先順位付けし、輻輳状況を取り扱い、あるいは他の関連動作を実行することができる。
【００５７】
いくつかの実施形態において、ＥＰＳベアラは、ＵＥ１０２とパケットをやりとりする第１の無線ベアラ及び第２の無線ベアラを含むことができる。これら無線ベアラはミラーベアラであって、第１の無線ベアラのための第１の留意インジケータが第２の無線ベアラのための第２の留意インジケータとは異なることが可能であると同時に、これまで説明された他のＱＣＩパラメータは同じであり得る。ｅＮＢ１０４は、ＵＥ１０２からのアップリンクパケットを検査して、ＰＳサービスのためのＩＰアドレス及びポート番号などの情報を決定することができ、上記情報は、アップリンクパケットの中に含まれ得る。例えば、情報は、アップリンクパケットの１つ以上のヘッダの中に含まれることがある。留意インジケータもまた、アップリンクパケットの中に含まれることが可能であり、いずれのベアラ（第１又は第２）がＵＥ１０２によって送信に使用されたかを示すことができる。
【００５８】
ＵＥ１０２又は他のＵＥに対する送信のためにｅＮＢ１０４に到着するダウンリンクパケットについて、ｅＮＢ１０４は、ダウンリンクパケットを検査して、ＩＰアドレス及びポート番号などの情報を決定することができ、上記情報は、ダウンリンクパケットの１つ以上のヘッダの中に含まれ得る。ＩＰアドレス及びポート番号の観点において、これまで説明されたアップリンクパケットにマッチし得るダウンリンクパケットについて、ｅＮＢ１０４は、上記パケットを、ＵＥ１０２によりアップリンクパケットの送信に使用された同じ無線ベアラ（第１又は第２）上で送信することができる。したがって、第１の又は第２の無線ベアラ上におけるパケットの送信には、アップリンクパケットに含まれる留意インジケータを使用し又は該留意インジケータに基づく送信が含まれ得る。例えば、ｅＮＢ１０４における輻輳制御処理又はアルゴリズム（以前に説明されたものを含む）が、アップリンクパケットに含まれる留意インジケータを使用することができる。いくつかの実施形態において、アップリンクパケットの中の留意インジケータは、ＥＰＳベアラに関連付けられた別の留意インジケータをオーバーライドすることさえ可能である。
【００５９】
同様の手法が、ＰＧＷ１１０において使用されることができる。いくつかの実施形態において、ＥＰＳベアラは、ＵＥ１０２とパケットをやりとりする第１の無線ベアラと第２の無線ベアラとを含むことができ、第１の無線ベアラのための第１の留意インジケータは、第２の無線ベアラのための第２の留意インジケータとは異なり得る。ＰＧＷ１１０は、ＥＰＳベアラ上でアップリンクパケットを受信し、アップリンクパケットの中に含まれるＰＳサービスのためのＩＰアドレス及びポート番号を決定するように構成されたハードウェア処理回路を含むことができる。ハードウェア処理回路は、ダウンリンクパケットについて、ダウンリンクパケットの中に含まれるＩＰアドレス及びポート番号を決定するようにさらに構成されることができる。ハードウェア処理回路は、アップリンクパケットに含まれるＩＰアドレス及びポート番号がダウンリンクパケットに含まれるＩＰアドレス及びポート番号にマッチするとき、第１の留意インジケータに少なくとも部分的に基づいて輻輳優先順位に従ってダウンリンクパケットを送信するようにさらに構成されることができる。
【００６０】
進化型パケットシステム（ＥＰＳ）ベアラに従ってネットワークにおけるパケット交換（ＰＳ）サービスをサポートする進化型ノードＢ（ｅＮＢ）が、本明細書において開示される。ｅＮＢは、ユーザ機器（ＵＥ）とパケットデータネットワークゲートウェイ（ＰＧＷ）との間におけるＰＳサービスのためのＥＰＳベアラの確立のためのＥＰＳベアラセットアップメッセージをモビリティマネジメントエンティティ（ＭＭＥ）から受信するように構成されたハードウェア処理回路を含むことができる。ハードウェア処理回路は、さらに、ＥＰＳベアラに従って、ＰＳサービスの一部としてトラフィックパケットをユーザ機器（ＵＥ）に送信することができる。いくつかの実施形態において、ＥＰＳベアラセットアップメッセージは、ＰＳサービスのためのトラフィックがＵＥにおいて留意されているか又は留意されてないかどうかを示す、ＰＳサービスのための留意インジケータを含むことができる。いくつかの実施形態において、ＰＳサービスは、ＵＥにおいて動作するアプリケーションに関連付けられることができ、ＰＳサービスのトラフィックが留意されているとき、トラフィックは、ＵＥにおけるアプリケーションとのユーザインタラクションの時間期間の間、アプリケーションによって少なくとも部分的に生成され、あるいは使用され得る。いくつかの実施形態において、ＥＰＳベアラセットアップメッセージは、ＰＳサービスのためのサービス品質クラスインジケータ（ＱＣＩ）を含むことができ、上記ＱＣＩは、ＱＣＩ優先順位、ＱＣＩ性能閾値、及びＰＳサービスのための留意インジケータに関連付けられることができる。
【００６１】
いくつかの実施形態において、ＰＳサービスのためのＱＣＩは、候補ＱＣＩの所定グループの中に含まれることができ、候補ＱＣＩのグループの中の各候補ＱＣＩは、ＱＣＩ優先順位、ＱＣＩ性能閾値、及び留意インジケータに関連付けられることができる。いくつかの実施形態において、候補ＱＣＩのグループは、第１の候補ＱＣＩ及び第２の候補ＱＣＩを含むことができる。第１の候補ＱＣＩのための第１のＱＣＩ優先順位は、第２の候補ＱＣＩのための第２のＱＣＩ優先順位と同じであることが可能であり、第１の候補ＱＣＩのための第１のＱＣＩ性能閾値は、第２の候補ＱＣＩのための第２のＱＣＩ性能閾値と同じであることが可能であり、第１の候補ＱＣＩと第２の候補ＱＣＩとのための留意インジケータは、異なることが可能である。いくつかの実施形態において、候補ＱＣＩのグループは、第３のＱＣＩ優先順位と第３のＱＣＩ性能閾値と第３の留意インジケータとに関連付けられた第３の候補ＱＣＩを含むことができる。第３の候補ＱＣＩ以外の各候補ＱＣＩは、第３のＱＣＩ優先順位とは異なるＱＣＩ優先順位に関連付けられることが可能であり、あるいは、第３のＱＣＩ性能閾値とは異なるＱＣＩ性能閾値に関連付けられることが可能である。
【００６２】
ハードウェア処理回路は、ＰＳサービスのためのトラフィックが留意されていないとき、ネットワークの輻輳レベルが輻輳閾値を上回るとの決定に応答して、ＰＳサービスのためのトラフィックパケットの送信を遅延させるようにさらに構成されることができる。いくつかの実施形態において、トラフィックパケットの送信は、ＵＥに対するトラフィックパケットの送信を含むことができ、ＥＰＳベアラは、ｅＮＢとＵＥとの間におけるトラフィックパケットのやりとりのための無線ベアラを含むことができ、輻輳レベルは、該無線ベアラに関連付けられることができる。いくつかの実施形態において、トラフィックパケットの送信は、ＰＧＷに対するトラフィックパケットの送信を含むことができ、ＥＰＳベアラは、ｅＮＢとＰＧＷとの間におけるトラフィックパケットのやりとりのための１つ以上のネットワークベアラを含むことができ、輻輳レベルは、該ネットワークベアラのうち少なくとも１つに関連付けられることができる。
【００６３】
ハードウェア処理回路は、輻輳レベルが輻輳閾値を上回り、第２のＰＳサービスのためのトラフィックが留意されているとき、第２のＰＳサービスのための第２のトラフィックパケットを送信するようにさらに構成されることができる。いくつかの実施形態において、ＰＳサービスのためのＱＣＩ優先順位が、第２のＰＳサービスのためのＱＣＩ優先順位以上（not  less  than）である場合がある。いくつかの実施形態において、第２のＰＳサービスは、第２の異なるＵＥのためのものであり得る。ハードウェア処理回路は、ＵＥにおけるアプリケーションに関連付けられた第２のＰＳサービスのための第２のＥＰＳベアラの確立のための第２のＥＰＳベアラセットアップメッセージをＭＭＥから受信するようにさらに構成されることができる。いくつかの実施形態において、ＰＳサービスのための第１のＱＣＩ優先順位は、第２のＰＳサービスのための第２のＱＣＩ優先順位と同じであることが可能であり、ＰＳサービスのための第１のＱＣＩ性能閾値が、第２のＰＳサービスのための第２のＱＣＩ性能閾値と同じであることが可能であり、ＰＳサービス及び第２のＰＳサービスのための留意インジケータは、異なることが可能である。
【００６４】
ハードウェア処理回路は、ネットワークの輻輳状態の決定に応答して、ＵＥのためのリソースインジケータを送信するようにさらに構成されることができ、上記リソースインジケータには、ネットワークの輻輳レベル、ＰＳサービスのためのＵＥの利用可能スループット、又はある時間期間の間のＵＥの利用可能リソースのインジケータが含まれる。いくつかの実施形態において、ＰＳサービスのためのＥＰＳベアラは、ＰＳサービスのための第１の留意インジケータに関連付けられた第１の無線ベアラを含むことができる。ハードウェア処理回路は、ＥＰＳベアラの一部として、第１の留意インジケータとは異なる第２の留意インジケータに関連付けられた第２の無線ベアラを確立するようにさらに構成されることができる。ハードウェア処理回路は、ネットワークの輻輳状態が決定されるとき、第１の無線ベアラ及び第２の無線ベアラについて、異なる利用可能スループットをＵＥに割り当てるようにさらに構成されることができる。これにおいて、上記割り当ては、第１の留意インジケータと第２の留意インジケータとに少なくとも部分的に基づく。
【００６５】
いくつかの実施形態において、ＥＰＳベアラは、ＵＥとパケットをやりとりする第１の無線ベアラ及び第２の無線ベアラを含むことができ、第１の無線ベアラのための第１の留意インジケータは、第２の無線ベアラのための第２の留意インジケータとは異なり得る。ハードウェア処理回路は、第１の無線ベアラ上でアップリンクパケットを受信し、アップリンクパケットの中に含まれるＰＳサービスのためのＩＰアドレス及びポート番号を決定するようにさらに構成されることができる。ハードウェア処理回路は、ダウンリンクパケットについて、ダウンリンクパケットの中に含まれるＩＰアドレス及びポート番号を決定するようにさらに構成されることができる。ハードウェア処理回路は、アップリンクパケットに含まれるＩＰアドレス及びポート番号がダウンリンクパケットに含まれるＩＰアドレス及びポート番号にマッチするとき、第１の留意インジケータに少なくとも部分的に基づいて輻輳優先順位に従ってダウンリンクパケットを送信するようにさらに構成されることができる。
【００６６】
進化型パケットシステム（ＥＰＳ）ベアラに従ってネットワークにおけるパケット交換（ＰＳ）サービスのサポートのための動作を実行する、１つ以上のプロセッサによる実行のための命令を記憶した非一時的コンピュータ可読記憶媒体が、本明細書においてさらに開示される。上記動作は、ユーザ機器（ＵＥ）とパケットデータネットワークゲートウェイ（ＰＧＷ）との間におけるＰＳサービスのためのＥＰＳベアラの確立のためのＥＰＳベアラセットアップメッセージをモビリティマネジメントエンティティ（ＭＭＥ）から受信し、ＥＰＳベアラに従ってＰＳサービスの一部としてトラフィックパケットをユーザ機器（ＵＥ）に送信するように、１つ以上のプロセッサを構成することができる。いくつかの実施形態において、ＥＰＳベアラセットアップメッセージは、ＰＳサービスのためのトラフィックがＵＥにおいて留意されているか又は留意されていないかどうかを示す、ＰＳサービスのための留意インジケータを含むことができる。いくつかの実施形態において、ＰＳサービスは、ＵＥにおいて動作するアプリケーションに関連付けられることができ、ＰＳサービスのためのトラフィックが留意されているとき、トラフィックは、ＵＥにおけるアプリケーションとのユーザインタラクションの時間期間の間、アプリケーションによって少なくとも部分的に生成され、あるいは使用され得る。いくつかの実施形態において、ＥＰＳベアラセットアップメッセージは、ＰＳサービスのためのサービス品質クラスインジケータ（ＱＣＩ）を含むことができ、上記ＱＣＩは、ＱＣＩ優先順位、ＱＣＩ性能閾値、及びＰＳサービスのための留意インジケータに関連付けられる。
【００６７】
進化型パケットシステム（ＥＰＳ）ベアラに従ってネットワークおけるパケット交換（ＰＳ）サービスをサポートする方法が、本明細書においてさらに開示される。この方法は、ユーザ機器（ＵＥ）とパケットデータネットワークゲートウェイ（ＰＧＷ）との間におけるＰＳサービスのためのＥＰＳベアラの確立のためのＥＰＳベアラセットアップメッセージをモビリティマネジメントエンティティ（ＭＭＥ）から受信するステップと、ＥＰＳベアラに従って、ＰＳサービスの一部としてトラフィックパケットをＵＥに送信するステップとを含み得る。いくつかの実施形態において、ＥＰＳベアラセットアップメッセージは、ＰＳサービスのためのトラフィックがＵＥにおいて留意されているか又は留意されていないかどうかを示す、ＰＳサービスのための留意インジケータを含むことができる。いくつかの実施形態において、ＰＳサービスは、ＵＥにおいて動作するアプリケーションに関連付けられることができ、ＰＳサービスのためのトラフィックが留意されているとき、トラフィックは、ＵＥにおけるアプリケーションとのユーザインタラクションの時間期間の間、アプリケーションによって少なくとも部分的に生成され、あるいは使用され得る。いくつかの実施形態において、ＥＰＳベアラセットアップメッセージは、ＰＳサービスのためのサービス品質クラスインジケータ（ＱＣＩ）を含むことができ、上記ＱＣＩは、ＱＣＩ優先順位、ＱＣＩ性能閾値、及びＰＳサービスのための留意インジケータに関連付けられることができる。
【００６８】
進化型パケットシステム（ＥＰＳ）ベアラに従ってネットワークにおけるパケット交換（ＰＳ）サービスを確立するモビリティマネジメントエンティティ（ＭＭＥ）が、本明細書においてさらに開示される。ＭＭＥは、ｅＮＢに通信可能に結合されたユーザ機器（ＵＥ）とパケットデータネットワークゲートウェイ（ＰＧＷ）との間におけるＰＳサービスのためのＥＰＳベアラの確立のためのＥＰＳベアラセットアップメッセージを進化型ノードＢ（ｅＮＢ）に送信するように構成されたハードウェア処理回路を含むことができる。いくつかの実施形態において、ＥＰＳベアラセットアップメッセージは、ＰＳサービスのためのトラフィックがＵＥにおいて留意されているか又は留意されていないかどうかを示す、ＰＳサービスのための留意インジケータを含むことができる。いくつかの実施形態において、ＰＳサービスは、ＵＥにおいて動作するアプリケーションに関連付けられることができ、ＰＳサービスのためのトラフィックが留意されているとき、トラフィックは、ＵＥにおけるアプリケーションとのユーザインタラクションの時間期間の間、アプリケーションによって少なくとも部分的に生成され、あるいは使用され得る。いくつかの実施形態において、留意インジケータは、ｅＮＢにおける輻輳制御のためのものであり得る。
【００６９】
いくつかの実施形態において、ＥＰＳベアラセットアップメッセージは、ＰＳサービスのためのサービス品質クラスインジケータ（ＱＣＩ）を含むことができ、上記ＱＣＩは、ＱＣＩ優先順位、ＱＣＩ性能閾値、及びＰＳサービスのための留意インジケータに関連付けられる。いくつかの実施形態において、ＰＳサービスのためのＱＣＩは、候補ＱＣＩの所定のグループの中に含まれることが可能であり、候補ＱＣＩのグループの中の各候補ＱＣＩは、ＱＣＩ優先順位、ＱＣＩ性能閾値、及び留意インジケータに関連付けられることができる。いくつかの実施形態において、候補ＱＣＩのグループは、第１の候補ＱＣＩと第２の候補ＱＣＩとを含むことができる。第１の候補ＱＣＩのための第１のＱＣＩ優先順位は、第２の候補ＱＣＩのための第２のＱＣＩ優先順位と同じであり得る。第１の候補ＱＣＩのための第１のＱＣＩ性能閾値は、第２の候補ＱＣＩのための第２のＱＣＩ性能閾値と同じであることが可能であり、第１の候補ＱＣＩと第２の候補ＱＣＩとのための留意インジケータは、異なることが可能である。いくつかの実施形態において、候補ＱＣＩのグループは、第３のＱＣＩ優先順位と第３のＱＣＩ性能閾値と第３の留意インジケータとに関連付けられた第３の候補ＱＣＩを含むことができる。第３の候補ＱＣＩの以外の各候補ＱＣＩは、第３のＱＣＩ優先順位とは異なるＱＣＩ優先順位に関連付けられることができ、あるいは、第３の性能閾値とは異なるＱＣＩ性能閾値に関連付けられることができる。
【００７０】
進化型パケットシステム（ＥＰＳ）ベアラに従ってネットワークにおけるパケット交換（ＰＳ）サービスにおいて通信するユーザ機器（ＵＥ）が、本明細書においてさらに開示される。ＵＥは、ＵＥとパケットデータネットワークゲートウェイ（ＰＧＷ）との間における第１のＰＳサービスのための第１のＥＰＳベアラの確立のための第１のＥＰＳベアラセットアップメッセージを受信するように構成されたハードウェア処理回路を含み得る。いくつかの実施形態において、第１のＥＰＳベアラセットアップメッセージは、第１のＰＳサービスの一部としてＵＥにおいて動作するアプリケーションのための第１の留意インジケータを含むことができ、上記留意インジケータは、第１のＰＳサービスのためのトラフィックがＵＥにおいて留意されているか又は留意されていないかどうかの指標を提供することができる。ハードウェア処理回路は、ＵＥにおけるアプリケーションに関連付けられた第２のＰＳサービスのための第２のＥＰＳベアラの確立のための第２のＥＰＳベアラセットアップメッセージを受信するようにさらに構成されることができる。いくつかの実施形態において、第２のＥＰＳベアラセットアップメッセージは、第２のＰＳサービスのための第２の留意インジケータを含むことができる。第１のＰＳサービスのための第１のＱＣＩ優先順位は、第２のＰＳサービスのための第２のＱＣＩサービスタイプと同じであることが可能であり、第１のＰＳサービスのための第１のＱＣＩ性能閾値は、第２のＰＳサービスのための第２のＱＣＩ性能閾値と同じであることが可能である。第１の留意インジケータと第２の留意インジケータとは、異なり得る。
【００７１】
いくつかの実施形態において、第１のＰＳサービス及び第２のＰＳサービスは、ＵＥにおいて動作するアプリケーションに関連付けられることができ、ハードウェア処理回路は、アプリケーションの留意ステートが第１の留意インジケータにマッチするときに第１のＰＳサービスの一部としてトラフィックパケットを進化型ノードＢ（ｅＮＢ）に送信し、アプリケーションの留意ステートが第２の留意インジケータにマッチするときに第２のＰＳサービスの一部としてトラフィックパケットをｅＮＢに送信するようにさらに構成されることができる。ハードウェア処理回路は、第１のＰＳサービスの一部として送信されるトラフィックパケットの中にアプリケーションの留意ステートを含めるようにさらに構成されることができる。
【００７２】
要約は、読み手が技術開示の性質及び要点を確認することを可能にする要約を求める３７Ｃ．Ｆ．Ｒ  セクション１．７２（ｂ）に準拠するために提供されている。要約は、該要約が請求項の範囲又は意味を限定し又は解釈することに使用されないという理解と共に提出されている。別記の請求項は、これにより詳細な説明に組み込まれ、各請求項は、それ自体を別個の好適な実施形態として主張する。
【図１】
0006363231.tif 000002
【図２】
0006363231.tif 000003
【図３】
0006363231.tif 000004
【図４】
0006363231.tif 000005
【図５】
0006363231.tif 000006
【図６】
0006363231.tif 000007
【図７】
0006363231.tif 000008
【図８】
0006363231.tif 000009
【図９】
0006363231.tif 000010